(57)【要約】【課題】搬送経路上のシートを確実に検知し且つシートのスムーズな搬送を妨げない搬送装置を備える画像記録装置を提供する。【解決手段】当該装置は、搬送部８０と、第１搬送面が形成された内側ガイド部材１９と、シートを検知するセンサユニット７０とを備え、センサユニット７０は、内側ガイド部材１９から露出する上壁７１Ａの外面が第１搬送面に連なる第２搬送面を構成するセンサ筐体７１と、上壁７１Ａに設けられた切り欠き７１Ｃを通じて上壁７１Ａの第２搬送面側に突出した当接部７６と、センサ筐体７１の内部に位置する被検知部７７とを有する可動部材７２と、被検知部７７の位置に応じた信号を出力する信号出力部７３、７４とを有し、可動部材７２は、第２搬送面を搬送されるシートが当接部７６に当接するのに伴って第１位置から第２位置へ移動する。【選択図】図２
2014156338.tif 000002
【特許請求の範囲】
【請求項１】
シートを搬送向きに搬送する搬送部と、
上記搬送部によって搬送されるシートを案内する第１搬送面が形成された経路部材と、
上記搬送部によって搬送されるシートを検知するセンサユニットと、
を備えており、
上記センサユニットは、
上記経路部材に設けられており、上記経路部材から露出する主壁の外面が上記第１搬送面に連なり且つ上記搬送部によって搬送されるシートを案内する第２搬送面を構成するセンサ筐体と、
上記主壁に設けられた筐体開口を通じて上記主壁の第２搬送面側に突出した当接部と、上記センサ筐体の内部に位置する被検知部と、を有しており、第１位置と第２位置とに移動可能に上記センサ筐体によって支持された可動部材と、
上記センサ筐体の内部に設けられており、上記被検知部の位置に応じた信号を出力する信号出力部と、を有しており、
上記可動部材は、上記第２搬送面を搬送されるシートが上記当接部に当接するのに伴って上記第１位置から上記第２位置へ移動する搬送装置。
【請求項２】
上記経路部材は、第１壁部と、上記搬送向きの下流側において上記第１壁部に連なり且つ上記第１壁部と交差する向きに延設された第２壁部と、を有しており、
上記第１搬送面は、上記第１壁部及び上記第２壁部に亘って形成されており、
上記センサユニットは、上記第２壁部に形成された開口を通じて上記第１壁部と上記第２壁部とで区画される上記経路部材の内部空間に収容され、且つ上記主壁によって上記開口を閉鎖する請求項１に記載の搬送装置。
【請求項３】
上記搬送部は、上記第２壁部より上記搬送向きの下流側に位置し、シートを上記搬送向きに搬送する搬送ローラを有しており、
上記可動部材は、上記センサ筐体によって回動可能に支持され且つ上記当接部及び上記被検知部が外周面から突出しており、上記当接部がシートと当接するのに伴って上記第１から上記第２位置まで回動する回動軸をさらに有しており、
上記第１位置にある上記可動部材の上記被検知部は、上記第１壁部から離れる向きへ向けて上記回動軸から突出しており、
上記第１位置から上記第２位置へ向けて回動する上記可動部材の上記被検知部は、上記第１壁部に近づく向きであって且つ上記筐体開口から遠ざかる向きに移動する請求項２に記載の搬送装置。
【請求項４】
上記経路部材の上記内部空間を区画する壁面のうちの上記開口に対面する奥壁面には、係合凸部又は係合凹部が形成されており、
上記センサ筐体の上記奥壁面に対面する面には、上記係合凸部を受け入れる被係合凹部または上記係合凹部に嵌り込む被係合凸部の一方を有する請求項２又は３に記載の搬送装置。
【請求項５】
上記センサユニットが上記内部空間に収容された状態において、上記搬送向き上流側の上記主壁の角部は、上記第１壁部によって覆われている請求項２から４のいずれかに記載の搬送装置。
【請求項６】
上記信号出力部は、上記被検知部の位置を検知する検知部と、上記検知部の検知結果に応じた信号を出力するセンサ基板と、を有しており、
上記可動部材は、上記センサ筐体によって回動可能に支持され且つ上記当接部及び上記被検知部が外周面から突出した回動軸を有しており、
上記センサ基板は、上記可動部材の上記回動軸を挟んで上記筐体開口と反対側に位置する請求項１から５のいずれかに記載の搬送装置。
【請求項７】
上記可動部材は、上記当接部がシートと当接するのに伴って上記第１位置から上記第２位置まで移動し、
上記検知部は、光を出力する発光部と、上記発光部から出力される光の光路上に位置する受光部と、を有しており、
上記センサ基板は、上記受光部で光が受光されたことを示す信号を出力し、
上記第１位置にある上記可動部材の上記被検知部は、上記第１位置において上記発光部の光路から外れ、
上記第２位置にある上記可動部材の上記被検知部は、上記発光部及び上記受光部の間の光路上に位置する請求項６に記載の搬送装置。
【請求項８】
上記当接部と上記被検知部とは、上記回動軸の軸方向にずれた位置において互いに異なる向きに突出しており、
上記被検知部は、上記回動軸の軸方向において上記筐体開口とずれた領域に位置する請求項７に記載の搬送装置。
【請求項９】
上記搬送部は、
上記第１壁部より上記搬送向きの上流側に配置されており、シートを上記搬送向きに搬送する第１搬送ローラと、
上記可動部材の上記当接部より上記搬送向きの下流側に配置されており、シートを上記搬送向きに搬送する第２搬送ローラと、を有しており、
当該搬送装置は、上記第１搬送ローラと上記第２搬送ローラとの間において上記経路部材と対向して上記第２搬送面を覆う被覆位置と、上記第２搬送面を露出させる露出位置と、に移動可能な対向部材をさらに備える請求項１から８のいずれかに記載の搬送装置。
【請求項１０】
当該搬送装置の動作を制御する制御基板と、
上記制御基板と上記信号出力部とを接続するケーブルと、をさらに備えており、
上記ケーブルは、上記第２搬送面の上記搬送向きの下流側の端部で且つ上記第２搬送面から上記搬送向きと交差する向きに後退した位置において、上記経路部材と上記センサ筐体との間の隙間から上記経路部材の外部に延出されており、
上記センサ筐体は、上記第２搬送面と上記隙間との間において上記ケーブルの延出方向に延設された仕切り部をさらに有する請求項１から９のいずれかに記載の搬送装置。
【請求項１１】
上記搬送部は、
上記第１壁部より上記搬送向きの上流側に配置されており、シートを上記搬送向きに搬送する第１搬送ローラと、
上記可動部材の上記当接部より上記搬送向きの下流側に配置されており、シートを上記搬送向きに搬送する第２搬送ローラと、を有しており、
当該搬送装置は、上記第２搬送ローラより上記搬送向きの下流側におけるシートの搬送経路を覆う被覆位置と、当該搬送経路を露出させる露出位置と、に移動可能なカバー部材をさらに備える請求項１から１０のいずれかに記載の搬送装置。
【請求項１２】
上記搬送部は、上記第２搬送ローラより上記搬送向きの下流側においてシートを上記搬送向きに搬送する第３搬送ローラをさらに有し、
上記カバー部材は、上記第２搬送ローラと上記第３搬送ローラとの間におけるシートの搬送経路を覆い、
上記センサ筐体の上記第２搬送面は、上記第２搬送ローラよりも上記搬送向きの上流側に位置する請求項１１に記載の搬送装置。
【請求項１３】
複数のサイズのシートを支持可能であって、上記搬送向きと直交するシートの幅方向の中央を予め定められた基準位置に一致させた状態で当該シートの幅方向の両端の位置を決定する位置決め部材を有する支持部をさらに備えており、
上記搬送部は、上記支持部に支持されたシートを上記第１搬送面に向けて搬送し、
上記当接部は、上記第１搬送面の幅方向の中央に配置されている請求項１から１２のいずれかに記載の搬送装置。
【請求項１４】
上記主壁の上記第２搬送面は、上記搬送向きに延設されたリブを有する請求項１から１３のいずれかに記載の搬送装置。
【請求項１５】
請求項１から１４のいずれかに記載の搬送装置と、
上記搬送部より上記搬送向きの下流側に配置されており、上記搬送部によって搬送されたシートに画像を記録する記録部と、
上記記録部と対向するシートの搬送経路を覆う被覆位置と、当該搬送経路を露出させる露出位置とに移動可能なカバー部材と、を備える画像記録装置。
【発明の詳細な説明】
【技術分野】
【０００１】
本発明は、シートを検出するセンサを有する搬送装置及び画像記録装置に関する。
【背景技術】
【０００２】
従来より、搬送ローラによって搬送された用紙に画像を記録する画像記録装置が知られている。従来の画像記録装置は、例えば、用紙を挟持して搬送する搬送ローラ対と、搬送ローラ対によって搬送された用紙に画像を記録する記録部とを備える。
【０００３】
上記構成の画像記録装置において、給紙動作の制御や紙詰まりの判断を行うために搬送経路上に用紙の有無を検知する検知部材が配置されることがある（特許文献１参照）。特許文献１においては、用紙が当接する感知レバーと、発光部及び受光部からなる光学センサと、光学センサを制御する電気回路とがユニット化された検知部材が用紙の搬送経路上に配置されている。
【先行技術文献】
【特許文献】
【０００４】
【特許文献１】特開２００９−５１６２５号公報
【発明の概要】
【発明が解決しようとする課題】
【０００５】
しかしながら、特許文献１の図３及び図４を参照すれば明らかなように、特許文献１に記載の検知部材は、用紙の搬送経路に対面する面がカバー等で覆われていない。そのため、搬送経路上の用紙が検知部材に引っ掛かって、斜行や紙詰まりの原因となる可能性がある。また、光学センサが搬送経路に露出した状態となるので、光学センサに塵埃が付着したり、受光部が発光部以外からの光を誤検知したりする可能性がある。
【０００６】
本発明は、上記の事情に鑑みてなされたものであり、その目的は、搬送経路上のシートを確実に検知し且つシートのスムーズな搬送を妨げない搬送装置、及びこのような搬送装置を備える画像記録装置を提供することである。
【課題を解決するための手段】
【０００７】
(1)  本発明に係る搬送装置は、シートを搬送向きに搬送する搬送部と、上記搬送部によって搬送されるシートを案内する第１搬送面が形成された経路部材と、上記搬送部によって搬送されるシートを検知するセンサユニットとを備える。上記センサユニットは、上記経路部材に設けられており、上記経路部材から露出する主壁の外面が上記第１搬送面に連なり且つ上記搬送部によって搬送されるシートを案内する第２搬送面を構成するセンサ筐体と、上記主壁に設けられた筐体開口を通じて上記主壁の第２搬送面側に突出した当接部と、上記センサ筐体の内部に位置する被検知部と、を有しており、第１位置と第２位置とに移動可能に上記センサ筐体によって支持された可動部材と、上記センサ筐体の内部に設けられており、上記被検知部の位置に応じた信号を出力する信号出力部とを有する。そして、上記可動部材は、上記第２搬送面を搬送されるシートが上記当接部に当接するのに伴って上記第１位置から上記第２位置へ移動する。
【０００８】
上記構成によれば、センサユニットのうちの経路部材の表面に露出する部分が主壁によって覆われるので、センサ筐体の内部に塵埃や外光が進入するのを抑制できる。その結果、信号出力部の誤作動を抑制できる。また、主壁の外面が搬送面の一部を構成するので、シートのスムーズな搬送を妨げることがない。
【０００９】
(2)  好ましくは、上記経路部材は、第１壁部と、上記搬送向きの下流側において上記第１壁部に連なり且つ上記第１壁部と交差する向きに延設された第２壁部とを有する。上記第１搬送面は、上記第１壁部及び上記第２壁部に亘って形成されている。上記センサユニットは、上記第２壁部に形成された開口を通じて上記第１壁部と上記第２壁部とで区画される上記経路部材の内部空間に収容され、且つ上記主壁によって上記開口を閉鎖する。
【００１０】
上記構成によれば、センサ筐体の外側がさらに第１壁部で覆われる。これにより、外部から侵入した塵埃、外光、及び静電気等によって、信号出力部が誤動作或いは破損するのを抑制できる。
【００１１】
(3)  好ましくは、上記搬送部は、上記第２壁部より上記搬送向きの下流側に位置し、シートを上記搬送向きに搬送する搬送ローラを有する。上記可動部材は、上記センサ筐体によって回動可能に支持され且つ上記当接部及び上記被検知部が外周面から突出しており、上記当接部がシートと当接するのに伴って上記第１から上記第２位置まで回動する回動軸をさらに有している。そして、上記第１位置にある上記可動部材の上記被検知部は、上記第１壁部から離れる向きへ向けて上記回動軸から突出している。また、上記第１位置から上記第２位置へ向けて回動する上記可動部材の上記被検知部は、上記第１壁部に近づく向きであって且つ上記筐体開口から遠ざかる向きに移動する。
【００１２】
第１位置から第２位置へ向かう当接部は、搬送ローラに近づく向きに回動する。一方、第１位置から第２位置へ向かう被検知部は、経路部材の内部において第１壁部に近づく向きに回動する。そこで上記構成のように、第１位置における被検知部を予め第１壁部から遠ざかる向きへ向けて回動軸に突設することにより、第２壁部の搬送向きの長さを延長しなくても、センサユニットを第１壁部に近接した位置に配置できる。その結果、搬送向きにおいて搬送装置をコンパクト化できる。また、第１位置から第２位置へ向かう被検知部を筐体開口から遠ざかる向きに回動させることにより、信号出力部を筐体開口からさらに遠ざけることができる。
【００１３】
(4)  好ましくは、上記経路部材の上記内部空間を区画する壁面のうちの上記開口に対面する奥壁面には、係合凸部又は係合凹部が形成されている。そして、上記センサ筐体の上記奥壁面に対面する面には、上記係合凸部を受け入れる被係合凹部または上記係合凹部に嵌り込む被係合凸部の一方を有する。
【００１４】
上記構成によれば、センサユニットを経路部材に対して簡単且つ確実に位置決めできる。その結果、第１搬送面と第２搬送面とを、簡単な装着作業で確実に連続させることができるので、シートのスムーズな搬送を妨げない。
【００１５】
(5)  好ましくは、上記センサユニットが上記内部空間に収容された状態において、上記搬送向き上流側の上記主壁の角部は、上記第１壁部によって覆われている。
【００１６】
上記構成によれば、第１壁部の搬送面から第２壁部の搬送面に向けて方向転換するシートの先端が主壁の角部に引っ掛かって斜行や紙詰まりを生じるのを防止できる。
【００１７】
(6)  好ましくは、上記信号出力部は、上記被検知部の位置を検知する検知部と、上記検知部の検知結果に応じた信号を出力するセンサ基板とを有する。上記可動部材は、上記センサ筐体によって回動可能に支持され且つ上記当接部及び上記被検知部が外周面から突出した回動軸を有する。そして、上記センサ基板は、上記可動部材の上記回動軸を挟んで上記筐体開口と反対側に位置する。
【００１８】
上記構成によれば、検知部及びセンサ基板を筐体開口から遠い位置に配置できるので、外部から侵入した塵埃、外光、及び静電気等によって、検知部及びセンサ基板が誤動作或いは破損するのを抑制できる。
【００１９】
(7)  例えば、上記可動部材は、上記当接部がシートと当接するのに伴って上記第１位置から上記第２位置まで移動する。上記検知部は、光を出力する発光部と、上記発光部から出力される光の光路上に位置する受光部とを有する。上記センサ基板は、上記受光部で光が受光されたことを示す信号を出力する。そして、上記第１位置にある上記可動部材の上記被検知部は、上記第１位置において上記発光部の光路から外れる。一方、上記第２位置にある上記可動部材の上記被検知部は、上記発光部及び上記受光部の間の光路上に位置する。
【００２０】
(8)  好ましくは、上記当接部と上記被検知部とは、上記回動軸の軸方向にずれた位置において互いに異なる向きに突出している。そして、上記被検知部は、上記回動軸の軸方向において上記筐体開口とずれた領域に位置する。
【００２１】
上記構成における被検知部は、筐体開口と異なる向き（換言すれば、筐体開口から遠ざかる向き）へ向けて回動軸に突設される。また、当接部と被検知部とは、軸方向にずれた位置において回動軸に突設されている。すなわち、第２位置における被検知部の周辺に位置する発光部及び受光部は、筐体開口から遠い位置に配置される。その結果、筐体開口を通じてセンサ筐体に侵入した塵埃や外光が発光部及び受光部に達するのを抑制できる。また、筐体開口から発光部及び受光部までの延面距離を長くできるので、静電気によって発光部、受光部、及びセンサ基板が誤動作或いは破損するのを抑制できる。
【００２２】
(9)  好ましくは、上記搬送部は、上記第１壁部より上記搬送向きの上流側に配置されており、シートを上記搬送向きに搬送する第１搬送ローラと、上記可動部材の上記当接部より上記搬送向きの下流側に配置されており、シートを上記搬送向きに搬送する第２搬送ローラとを有する。そして、当該搬送装置は、上記第１搬送ローラと上記第２搬送ローラとの間において上記経路部材と対向して上記第２搬送面を覆う被覆位置と、上記第２搬送面を露出させる露出位置と、に移動可能な対向部材をさらに備える。
【００２３】
上記構成によれば、対向部材を露出位置に移動させることにより、第１搬送ローラ及び第２搬送ローラの間に詰まったシートを取り除く（所謂、ジャム処理）ことができる。なお、センサユニットは第１搬送ローラ及び第２搬送ローラの間に位置するが、上記構成を採用することにより、対向部材を露出位置に移動させてジャム処理を行う場合に生じる塵埃、外光、及び静電気等の影響を抑制できる。
【００２４】
(10)  好ましくは、当該搬送装置は、搬送装置の動作を制御する制御基板と、上記制御基板と上記信号出力部とを接続するケーブルとをさらに備える。上記ケーブルは、上記第２搬送面の上記搬送向きの下流側の端部で且つ上記第２搬送面から上記搬送向きと交差する向きに後退した位置において、上記経路部材と上記センサ筐体との間の隙間から上記経路部材の外部に延出されている。そして、上記センサ筐体は、上記第２搬送面と上記隙間との間において上記ケーブルの延出方向に延設された仕切り部をさらに有する。
【００２５】
上記構成によれば、ケーブルを延出させる隙間が対向部材と反対側に設けられるので、対向部材を露出位置に移動させてジャム処理を行う場合でも、当該隙間を通じて静電気等がスキャナ筐体の内部に侵入するのを抑制できる。また、隙間の上方に仕切り部を設けることにより、撓んだケーブルが搬送面に進出するのを抑制できる。
【００２６】
(11)  好ましくは、上記搬送部は、上記第１壁部より上記搬送向きの上流側に配置されており、シートを上記搬送向きに搬送する第１搬送ローラと、上記可動部材の上記当接部より上記搬送向きの下流側に配置されており、シートを上記搬送向きに搬送する第２搬送ローラとを有する。そして、当該搬送装置は、上記第２搬送ローラより上記搬送向きの下流側におけるシートの搬送経路を覆う被覆位置と、当該搬送経路を露出させる露出位置と、に移動可能なカバー部材をさらに備える。
【００２７】
上記構成によれば、第２搬送ローラより下流側の位置におけるジャム処理が可能となる。また、当接部を露出させる筐体開口及びケーブルを延出させる隙間と、露出される搬送経路との間には第２搬送ローラが介在するので、カバー部材を露出位置に移動させてジャム処理を行う場合に生じる塵埃、外光、及び静電気等の影響を軽減できる。
【００２８】
(12)  例えば、上記搬送部は、上記第２搬送ローラより上記搬送向きの下流側においてシートを上記搬送向きに搬送する第３搬送ローラをさらに有する。上記カバー部材は、上記第２搬送ローラと上記第３搬送ローラとの間におけるシートの搬送経路を覆う。そして、上記センサ筐体の上記第２搬送面は、上記第２搬送ローラよりも上記搬送向きの上流側に位置する。
【００２９】
(13)  好ましくは、当該搬送装置は、複数のサイズのシートを支持可能であって、上記搬送向きと直交するシートの幅方向の中央を予め定められた基準位置に一致させた状態で当該シートの幅方向の両端の位置を決定する位置決め部材を有する支持部をさらに備える。上記搬送部は、上記支持部に支持されたシートを上記第１搬送面に向けて搬送する。そして、上記当接部は、上記第１搬送面の幅方向の中央に配置されている。
【００３０】
上記構成は、所謂センタレジ方式である。センタレジ方式において、シートの幅方向の中央は、シートの斜行による位置の変化が最も小さい。そのため、当接部を搬送面の幅方向の中央に配置することにより、シートの位置を正確に補足できる。
【００３１】
(14)  好ましくは、上記主壁の上記第２搬送面は、上記搬送向きに延設されたリブを有する。
【００３２】
上記構成によれば、リブによってシートが案内されるので、シートをさらにスムーズに搬送することができる。
【００３３】
(15)  本発明に係る画像記録装置は、上記記載の搬送装置と、上記搬送部より上記搬送向きの下流側に配置されており、上記搬送部によって搬送されたシートに画像を記録する記録部と、上記記録部と対向するシートの搬送経路を覆う被覆位置と、当該搬送経路を露出させる露出位置とに移動可能なカバー部材とを備える。
【００３４】
上記構成によれば、センサユニットによってシートの正確な位置を補足できるので、精度の高い画像記録を実現できる。また、カバー部材を露出位置に移動させてジャム処理を行う場合に生じる静電気等の影響を軽減できる。
【発明の効果】
【００３５】
本発明によれば、経路部材の表面に露出するセンサユニットの面を主壁で覆い、且つ主壁の外面に搬送面の一部を形成したので、搬送路上のシートを確実に検知し且つシートのスムーズな搬送を妨げない搬送装置、及びこのような搬送装置を備える画像記録装置を得ることができる。
【図面の簡単な説明】
【００３６】
【図１】図１は、本発明の実施形態の一例である複合機１０の斜視図である。
【図２】図２は、プリンタ部１１の内部構造を模式的に示す縦断面図である。
【図３】図３は、給送トレイ２０の斜視図である。
【図４】図４は、ベース部材１００及びサイドフレーム１２０、１３０の分解斜視図である。
【図５】図５は、サイドフレーム１２０、１３０に支持されたガイドレール４５、搬送ローラ対５１、プラテン４２、及び排出ローラ対６１の斜視図である。
【図６】図６は、外側ガイド部材１８が露出位置にある状態におけるベース部材１００の斜視図及び内側ガイド部材１９の拡大斜視図である。
【図７】図７は、外側ガイド部材１８が被覆位置にある状態におけるベース部材１００の斜視図である。
【図８】図８は、ベース部材１００及びセンサユニット７０の分解斜視図である。
【図９】図９は、センサユニット７０の斜視図であって、（Ａ）は前面側から見た図であり、（Ｂ）は背面側から見た図である。
【図１０】図１０は、センサユニット７０が取り付けられたベース部材１００の斜視図である。
【図１１】図１１は、センサユニット７０周辺の部分断面図であって、（Ａ）は可動部材７２が第１位置にある状態を示し、（Ｂ）は可動部材７２が第２位置にある状態を示している。
【発明を実施するための形態】
【００３７】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。以下の説明においては、複合機１０が使用可能に設置された状態（図１の状態）を基準として上下方向７が定義され、開口１３が設けられている側を手前側（正面）として前後方向８が定義され、複合機１０を手前側（正面）から見て左右方向９が定義される。
【００３８】
［複合機１０の全体構造］
図１に示されるように、複合機１０（本発明の画像記録装置の一例）は、薄型の直方体に概ね形成されており、下部にプリンタ部１１が設けられている。複合機１０は、ファクシミリ機能及びプリント機能などの各種の機能を有している。複合機１０は、プリント機能として、インクジェット方式で記録用紙１２（図２参照）の片面に画像を記録する機能を有している。なお、複合機１０は、記録用紙１２の両面に画像を記録するものであってもよい。複合機１０には、搬送装置が設けられている。搬送装置は、記録用紙１２を複合機１０の内部において搬送する装置であって、後述する内側ガイド部材１９、搬送部８０、及びセンサユニット７０を備える。
【００３９】
図１に示されるように、プリンタ部１１の正面には、開口１３が形成されている。プリンタ部１１には、各種サイズの記録用紙１２を収容可能な給送トレイ２０が、開口１３を通じて前後方向８に挿抜可能である。給送トレイ２０の上には、排出トレイ２１が積層されている。排出トレイ２１は、給送トレイ２０と一体に移動する。排出トレイ２１は、後述する記録部２４によって画像が記録され、且つ後述する排出ローラ対６１によって排出された記録用紙１２を支持する。また、プリンタ部１１の上面には、カバー部材１７が設けられている。カバー部材１７は、前後方向８の後端を回動基端とし且つ先端を回動先端として、左右方向９に延びる回動軸線周りに回動する。これにより、プリンタ部１１の上面が開放或いは閉鎖される。
【００４０】
［給送トレイ２０］
給送トレイ２０は、図３に示されるように、上方が開放された箱形状の部材であって、底板８１と、左側板８２及び右側板８３と、前板８４と、傾斜板８５とを備えている。左側板８２及び右側板８３は、底板８１の左右方向９における両端部から上向きへ突出している。前板８４は、底板８１の前後方向８における前端部から上向きへ突出している。左側板８２と右側板８３と前板８４とにより、排出トレイ２１が支持されている（図１参照）。傾斜板８５は、前後方向８における底板８１の後端から後方斜め上へ向かって延びており、給送部１６により送り出される記録用紙１２を搬送路３５へ案内する。
【００４１】
底板８１は、Ａ４サイズ、Ｂ５サイズ、リーガルサイズ、或いは葉書サイズなどの複数の定型サイズの記録用紙１２を支持する。底板８１には、種々の定型サイズの記録用紙１２の左右方向９の一方側端部（図３の例では左端部）の位置を示す目印が付されている。図３には、目印の一例として、「Ａ４」、「Ｂ５」、「はがき」の３種類が図示されているが、これらに限定されないことは言うまでもない。また、図３に示されるように、底板８１には、底板８１に載置される記録用紙１２の左右方向の両端の位置を位置決めするガイド部材９０、９１が設けられている。ガイド部材９０、９１は、底板８１に載置された種々の定型サイズの記録用紙１２をセンタ合わせにより位置決めし、且つ記録用紙１２の斜行を抑制する。センタ合わせとは、記録用紙１２の左右方向９の中央を底板８１の左右方向９の中央に一致させる位置合わせを意味する。
【００４２】
ユーザは、記録用紙１２の左右方向９の中央を中心線（本発明の基準位置の一例）に一致させるようにして、記録用紙１２を底板８１上に載置する。次に、ユーザは、ガイド部材９０（本発明の位置決め部材の一例）を左右方向９の左向きにスライドさせて、記録用紙１２のサイズに相当する目印の位置に到達させる。これにより、ガイド部材９０が記録用紙１２の右端に当接する。また、ガイド部材９１は、ピニオンギア（不図示）によってガイド部材９０と連動して右向きにスライドされ、記録用紙１２の左端に当接する。このようにして、底板８１に載置された種々の定型サイズの記録用紙１２は、ガイド部材９０、９１によりセンタ合わせによって位置決めされる。
【００４３】
プリンタ部１１は、ベース部材１００（図４参照）と、ベース部材１００を上方から覆う外装カバー１４とを備える。また、プリンタ部１１の内部には、図２に示されるように、給送部１６、搬送ローラ対５１、記録部２４、排出ローラ対６１、及びプラテン４２等が設けられている。ベース部材１００は、給送部１６、搬送ローラ対５１、記録部２４、排出ローラ対６１、プラテン４２、及びサイドフレーム１２０、１３０等を支持し、且つ外装カバー１４によって覆われている。
【００４４】
給送部１６は、給送トレイ２０から記録用紙１２をピックアップして搬送路３５に給送する。搬送ローラ対５１は、給送部１６によって搬送路３５に給送された記録用紙１２を搬送向き１５の下流側に搬送する。記録部２４は、搬送ローラ対５１によって搬送された記録用紙１２にインク滴を吐出することによって画像を記録する。排出ローラ対６１は、記録部２４によって画像が記録された記録用紙１２を排出トレイ２１に排出する。プラテン４２は、搬送ローラ対５１によって搬送される記録用紙１２を下側から支持する。
【００４５】
［搬送路３５］
図２に示されるように、給送トレイ２０の後端部から搬送路３５が延出されている。搬送路３５は、湾曲搬送路３３と直線搬送路３４とを備える。湾曲搬送路３３は、プリンタ部１１の後方側を湾曲外側とし且つ前方側を湾曲内側として湾曲しつつ延びている。直線搬送路３４は、前後方向８に延びている。給送トレイ２０に支持された記録用紙１２は、湾曲搬送路３３を下方から上方へＵターンするように搬送された後、直線搬送路３４を前後方向８の前方に搬送されて記録部２４に導かれる。記録部２４により画像記録が行われた記録用紙１２は、直線搬送路３４を前後方向８のさらに前方に搬送されて排出トレイ２１に排出される。つまり、記録用紙１２は、図２に一点鎖線の矢印で示される搬送向き１５に沿って搬送される。
【００４６】
湾曲搬送路３３は、所定間隔を隔てて互いに対向する外側ガイド部材１８（本発明の対向部材の一例）と内側ガイド部材１９（本発明の経路部材の一例）とによって形成されている。外側ガイド部材１８は、湾曲搬送路３３の湾曲外側を形成している。内側ガイド部材１９は、湾曲搬送路３３の湾曲内側を形成している。直線搬送路３４は、記録部２４が配置されている位置において所定間隔を隔てて互いに対向する記録部２４とプラテン４２とによって形成されている。すなわち、各ガイド部材１８、１９は、搬送路３５の少なくとも一部を形成している。
【００４７】
外側ガイド部材１８は、後述するベース部材１００に回動可能に支持されている。外側ガイド部材１８の下端部における左右方向９の両端に、左右方向９に延びた軸４８が形成されている。本実施形態において、軸４８は、外側ガイド部材１８の両端から左右方向９の外側に向けて突出した突起である。軸４８は、ベース部材１００に形成された孔（不図示）に挿入される。これにより、外側ガイド部材１８は、湾曲搬送路３３を覆う被覆位置（図２の実線で示される位置）と、湾曲搬送路３３を露出させる露出位置（図２の破線で示される位置）とに回動する。
【００４８】
被覆位置における外側ガイド部材１８は、対向する内側ガイド部材１９とともに搬送路３５の湾曲搬送路３３を形成する。一方、外側ガイド部材１８が露出位置のとき、内側ガイド部材１９の外表面は、プリンタ部１１の外部に露出される。つまり、露出位置における外側ガイド部材１８は、搬送路３５の湾曲搬送路３３を外部に露出させる。これにより、複合機１０のユーザは、湾曲搬送路３３に詰まった記録用紙１２を取り出す（所謂、ジャム処理）ことができる。
【００４９】
［搬送部８０］
搬送部８０は、湾曲搬送路３３より搬送向き１５の上流側に配置された給送部１６と、直線搬送路３４における記録部２４よりも搬送向き１５の上流側に配置された搬送ローラ対５１と、直線搬送路３４における記録部２４よりも搬送向き１５の下流側に配置された排出ローラ対６１とを備える。
【００５０】
［給送部１６］
給送部１６は、図２に示されるように、プリンタ部１１の内部において、給送トレイ２０の上方で且つ記録部２４の下方に設けられている。給送部１６は、給送ローラ２５（本発明の第１搬送ローラの一例）と、給送アーム２６と、駆動伝達機構２７とを備えている。給送ローラ２５は、給送アーム２６の先端部で軸支されている。給送アーム２６は、基端部に設けられた支軸２８を中心として、矢印２９の方向に回動する。これにより、給送ローラ２５は、給送トレイ２０又は給送トレイ２０に支持された記録用紙１２に対して、当接及び離間が可能である。給送ローラ２５は、複数のギヤが噛合されてなる駆動伝達機構２７によって搬送用モータ（不図示）の駆動力が伝達されて回転する。なお、給送ローラ２５は、搬送用モータとは別に設けられたモータから駆動力を付与されて回転してもよい。
【００５１】
［搬送ローラ対５１］
搬送ローラ対５１は、図２に示されるように、搬送ローラ５２（本発明の第２搬送ローラの一例）とピンチローラ５３とで構成される。本実施形態における搬送ローラ５２は、例えば、ローラ軸の外周面にセラミックコーティングを施すことによって形成される。また、本実施形態では、金属製の円筒軸（中空軸）がローラ軸として採用される。但し、搬送ローラ５２の具体的な構成はこれに限定されず、ローラをローラ軸に嵌合させて構成してもよいし、中実軸をローラ軸として採用してもよい。
【００５２】
本実施形態における搬送ローラ５２は、直線搬送路３４の下側に配置されており、湾曲搬送路３３から直線搬送路３４に導かれた記録用紙１２の下面に当接する。搬送ローラ５２は、正転駆動及び逆転駆動が可能な搬送用モータから駆動力が付与されて回転する。一方、ピンチローラ５３は、直線搬送路３４の上側において搬送ローラ５２に対向して配置されており、記録用紙１２の上面に当接する。ピンチローラ５３は、搬送ローラ５２の回転に伴って連れ回る。搬送ローラ５２とピンチローラ５３とは、協同して記録用紙１２を上下方向７から挟持し、搬送向き１５に搬送する。
【００５３】
［排出ローラ対６１］
排出ローラ対６１は、図２に示されるように、排出ローラ６２（本発明の第３搬送ローラの一例）と拍車６３とで構成される。本実施形態における排出ローラ６２は、直線搬送路３４の下側に配置されており、直線搬送路３４を搬送される記録用紙１２の下面に当接する。排出ローラ６２は、搬送用モータから駆動力が付与されて回転する軸６４と、軸６４に嵌合されて一体回転するローラ６５とで構成される。一方、拍車６３は、直線搬送路３４の上側において排出ローラ６２に対向して配置されており、記録用紙１２の上面に当接する。拍車６３は、軸６６に嵌合されており、排出ローラ６２の回転に伴って連れ回る。排出ローラ６２と拍車６３とは、協同して記録用紙１２を上下方向７から挟持し、搬送向き１５に搬送する。
【００５４】
［プラテン４２］
プラテン４２は、図２に示されるように、直線搬送路３４の下側で且つ搬送ローラ対５１及び排出ローラ対６１の間の位置、すなわち、搬送ローラ対５１より搬送向き１５の下流側で且つ排出ローラ対６１より搬送向き１５の上流側に設けられている。プラテン４２は、上下方向７において記録部２４に対向して配置され、直線搬送路３４を搬送される記録用紙１２を下側から支持する部材である。
【００５５】
［記録部２４］
図２に示されるように、記録部２４は、直線搬送路３４の上側で且つ上下方向７においてプラテン４２と対向する位置に配置されている。記録部２４は、キャリッジ４０と記録ヘッド３８とを備えている。キャリッジ４０は、２つのガイドレール４５、４６によって支持されている。２つのガイドレール４５、４６は、前後方向８に間隔を空けて配置され、各々が左右方向９に延設されている。キャリッジ４０は、２つのガイドレール４５、４６を跨ぐようにして配置され、２つのガイドレール４５、４６に沿って主走査方向である左右方向９に往復移動する。記録ヘッド３８は、キャリッジ４０に搭載されている。記録ヘッド３８は、インクカートリッジ（不図示）から供給されたインクを、下面に設けられたノズル３９から吐出する。すなわち、キャリッジ４０が左右方向９に移動している過程において、記録ヘッド３８のノズル３９からインク滴がプラテン４２に向けて吐出されることにより、プラテン４２に支持された記録用紙１２の上面に画像が記録される。
【００５６】
［カバー部材１７］
カバー部材１７は、搬送ローラ対５１及び排出ローラ対６１の間の位置（換言すれば、記録部２４と対向する位置）の直線搬送路３４を覆う被覆位置（図２の実線で示される位置）と、当該位置の直線搬送路３４を露出させる露出位置（図２の破線で示される位置）とに移動することができる。これにより、複合機１０のユーザは、直線搬送路３４に詰まった記録用紙１２を取り出す（所謂、ジャム処理）ことができる。
【００５７】
［ベース部材１００］
ベース部材１００は、図４に示されるように、左右方向９の中央部に位置するセンタベース１０１と、センタベース１０１と左右方向９に隣接するサイドベース１０２、１０３とで構成されている。サイドベース１０２は、センタベース１０１の右側に隣接して設けられている。サイドベース１０３は、センタベース１０１の左側に隣接して設けられている。すなわち、サイドベース１０２、１０３は、左右方向９に離間した位置に設けられている。また、センタベース１０１は、左右方向９においてサイドベース１０２、１０３の間に位置する。なお、本実施形態におけるベース部材１００は、樹脂材料で一体成形されている。
【００５８】
センタベース１０１は、前後方向８の後方側に位置する主壁１１３と、前後方向８の前方側に位置する主壁１１４とを有する。主壁１１３、１１４は、サイドベース１０２、１０３の間において、前後方向８及び左右方向９に延設されている。一方、前後方向８における主壁１１３、１１４の間は、離間している。主壁１１３は、給送部１６、記録部２４、搬送ローラ対５１、排出ローラ対６１、及びプラテン４２等を支持する。主壁１１４は、複合機１０の動作を制御する制御基板（不図示）等を支持する。
【００５９】
図４に示されるように、左右方向９における主壁１１３の上面の両端部には、突起１１５Ａ、１１５Ｂ、１１６Ａ、１１６Ｂが設けられている。突起１１５Ａ、１１５Ｂは、主壁１１３の上面の右端において前後方向８に離間して設けられている。突起１１６Ａ、１１６Ｂは、主壁１１３の上面の左端において前後方向８に離間して設けられている。また、各突起１１５Ａ、１１５Ｂ、１１６Ａ、１１６Ｂの概ね中央には、ネジ（締結部材の一例）が螺合されるねじ穴が形成されている。
【００６０】
主壁１１３の上面には、図４に示されるように、左右方向９に離間した位置に一対のサイドフレーム１２０、１３０が取り付けられる。このサイドフレーム１２０、１３０は、金属を板金加工して形成される。サイドフレーム１２０は、板状のベース部１２１及び支持壁１２２を、短手方向の断面形状が概ねＬ字形となるように組み合わせて構成される。サイドフレーム１３０は、板状のベース部１３１及び支持壁１３２を、短手方向の断面形状が概ねＬ字形となるように組み合わせて構成される。
【００６１】
ベース部１２１は、長手方向を前後方向８に向けて主壁１１３の上面に取り付けられる。ベース部１２１には、前後方向８に離間した位置に貫通孔１２３Ａ、１２３Ｂが設けられている。主壁１１３の突起１１５Ａ、１１５Ｂがベース部１２１の貫通孔１２３Ａ、１２３Ｂに挿入され、突起１１５Ａ、１１５Ｂのねじ穴にネジが螺合されることにより、サイドフレーム１２０が主壁１１３に固定される。支持壁１２２は、ベース部１２１の短手方向の一方側の端部に突設されている。すなわち、サイドフレーム１２０が主壁１１３に取り付けられた状態の支持壁１２２は、上方に突設され且つ前後方向８に延設されている。サイドフレーム１３０の構成は、サイドフレーム１２０と共通する。すなわち、ベース部１３１には貫通孔１３３Ａ、１３３Ｂが設けられている。
【００６２】
図５に示されるように、ガイドレール４５、４６と、給送部１６と、搬送ローラ対５１と、排出ローラ対６１とは、いずれもサイドフレーム１２０、１３０に支持されている。また、キャリッジ４０（換言すれば、記録部２４）は、ガイドレール４５、４６を介してサイドフレーム１２０、１３０に支持されている。すなわち、ガイドレール４５、４６と、給送部１６と、搬送ローラ対５１と、記録部２４と、排出ローラ対６１とは、サイドフレーム１２０、１３０を介してベース部材１００の主壁１１３に支持されている。
【００６３】
内側ガイド部材１９は、前後方向８における主壁１１３の後方側の端部（すなわち、搬送向き１５の上流側の端部）に設けられている。また、内側ガイド部材１９は、給送部１６より搬送向き１５の下流側で、且つ搬送ローラ５２より搬送向き１５の上流側に配置されている。そして、湾曲搬送路３３は、主壁１１３の後方側の端部（すなわち、内側ガイド部材１９）に沿って主壁１１３下面側から上面側に湾曲している。さらに、直線搬送路３４は、主壁１１３の上面及び主壁１１４の下面に沿う水平面上において、前後方向８に直線的に設けられている。
【００６４】
内側ガイド部材１９は、図６に示されるように、概ね上下方向７及び左右方向９に延設された第１壁部１９Ａと、第１壁部１９Ａの上端に連なり且つ概ね前後方向８及び左右方向９に延設された第２壁部１９Ｂとで構成される。すなわち、第１壁部１９Ａと第２壁部１９Ｂとは互いに交差する向きに延設されている。そして、第１壁部１９Ａ及び第２壁部１９Ｂの表面には、搬送向き１５に延びるリブ１９Ｃが左右方向９に沿って複数並んで延設されている。より詳細には、リブ１９Ｃは、第１壁部１９Ａにおいて概ね上下方向７に延設され、第２壁部１９Ｂにおいて概ね前後方向８に延設されている。従って、本実施形態では、湾曲搬送路３３を区画する第１搬送面は、複数のリブ１９の先端を通る仮想的な面となる。一方、リブが形成されない構成における第１搬送面は、第１壁部１９Ａ及び第２壁部１９Ｂの表面によって構成される。
【００６５】
内側ガイド部材１９の第２壁部１９Ｂには、図４及び図８に示されるように、左右方向９（本発明の幅方向の一例）の中央部に開口１９Ｄが設けられている。この開口１９Ｄは、第１壁部１９Ａ及び第２壁部１９Ｂによって区画される内側ガイド部材１９の内部空間を露出させている。この内部空間には、図６に示されるように、センサユニット７０が収容される。また、この内部空間を区画する壁面のうち、上下方向７において開口１９Ｄと対向する奥壁面には、係合凹部１９Ｅが設けられている。
【００６６】
外側ガイド部材１８は、下端を回動基端とし且つ上端を回動先端として、左右方向９に延びる回動軸線周りに、図６に示される露出位置と、図７に示される被覆位置とに回動する。露出位置における外側ガイド部材１８は、図６に示されるように、内側ガイド部材１９及びセンサユニット７０を露出させる。一方、被覆位置における外側ガイド部材１８は、図７に示されるように、内側ガイド部材１９との間に空間（すなわち、湾曲搬送路３３）を設けた状態で、内側ガイド部材１９及びセンサユニット７０を被覆する。
【００６７】
［センサユニット７０］
センサユニット７０は、図９に示されるように、センサ筐体７１と、可動部材７２と、光学センサ７３（本発明の検知部の一例）と、センサ基板７４と、付勢部材７８とで構成される。センサユニット７０は、図１０に示されるように、内側ガイド部材１９の内部空間に収容され、図８に示されるネジ７０Ａ（締結部材の一例）によって内側ガイド部材１９に締結される。センサユニット７０は、取り付け位置における記録用紙１２の有無を検知し、検知結果に応じた信号を制御基板に出力する。
【００６８】
センサ筐体７１は、図９（Ａ）及び図９（Ｂ）に示されるように、背面のほぼ全体が開放された概ね直方体をなし、内部に可動部材７２と、光学センサ７３と、センサ基板７４と、付勢部材７８とを収容している。図１０に示されるように、センサユニット７０が内側ガイド部材１９に取り付けられた状態において、センサ筐体７１の上壁７１Ａ（本発明の主壁の一例）の外面は、内側ガイド部材１９から露出し且つ内側ガイド部材１９の開口１９Ｄを閉鎖している。より詳細には、センサ筐体７１の上壁７１Ａの外面は、内側ガイド部材１９の第２壁部１９Ｂの外面と概ね面一となる。
【００６９】
上壁７１Ａの外面には、搬送向き１５（すなわち、概ね前後方向８）にリブ７１Ｂが複数左右方向９に沿って並んで延設されている。従って、図６の部分拡大図に示されるように、内側ガイド部材１９から露出した上壁７１Ａの複数のリブ７１Ｂの先端を通る仮想的な面は、内側ガイド部材１９の第１搬送面に連なって、搬送部８０によって搬送される記録用紙１２を案内する第２搬送面となる。なお、上壁７１Ａにリブ７１Ｂが形成されない構成における第２搬送面は、上壁７１Ａの外面によって構成される。すなわち、湾曲搬送路３３は、内側ガイド部材１９の第１壁部１９Ａ及び第２壁部１９Ｂに設けられた第１搬送面と、センサ筐体７１の上壁７１Ａの外面に設けられた第２搬送面とによって区画される。
【００７０】
また、上壁７１Ａの左右方向９の中央部には、前後方向８に長い切り欠き７１Ｃ（本発明の筐体開口の一例）が形成されている。また、センサ筐体７１の底面には、内側ガイド部材１９の係合凹部１９Ｅに挿入される被係合凸部７１Ｄが設けられている。また、センサ筐体７１は、上壁７１Ａの外面より下方に後退した位置において、背面側（取り付け状態における搬送向き１５の下流側）に突出する仕切り部７１Ｅを有する。また、図１１（Ａ）の破線円で囲まれた領域Ｐに示されるように、上壁７１Ａの搬送向き１５の上流側の角部は、第１壁部１９Ａの先端によって覆われている。さらに、センサ筐体７１が内側ガイド部材１９に取り付けられた状態において、前後方向８における上壁７１Ａの前端は、搬送ローラ対５１よりも後ろ側に位置している。すなわち、上壁７１Ａの搬送向き１５の下流側の端部は、搬送ローラ対５１より搬送向き１５の上流側に位置している。
【００７１】
可動部材７２は、回動軸７５と、当接部７６と、被検知部７７とで構成される。可動部材７２は、図１１（Ａ）に示される第１位置と、図１１（Ｂ）に示される第２位置とに移動可能に構成されている。より詳細には、可動部材７２は、当接部７６に記録用紙１２の先端（搬送向き１５の下流側の端部）が当接部７６に当接することにより、第１位置から第２位置に移動する。一方、可動部材７２は、記録用紙１２の後端（搬送向き１５の上流側の端部）が当接部７６を通過することにより、第２位置から第１位置に移動する。
【００７２】
回動軸７５は、センサ筐体７１の内部において左右方向９に延設されており、センサ筐体７１によって回動可能に支持されている。当接部７６は、回動軸７５の軸方向の概ね中央部において回動軸７５の外周面に突設されている。被検知部７７は、回動軸７５の軸方向の端部側（本実施形態では、左端側）において回動軸７５の外周面に突設されている。すなわち、当接部７６と被検知部７７とは、軸方向にずれた位置において回動軸７５に突設されている。換言すれば、被検知部７７は、回動軸７５の軸方向において、切り欠き７１Ｃとずれた領域に位置している。
【００７３】
また、当接部７６は、切り欠き７１Ｃを通じて上壁７１Ａの外面（すなわち、第２搬送面）側に向かって回動軸７５の外面から突出している。より詳細には、図９（Ａ）の状態における当接部７６は、上方に向かって回動軸７５の外面から切り欠き７１Ｃを通じて上壁７１Ａの外面側に突出している。一方、被検知部７７は、切り欠き７１Ｃと異なる向きに回動軸７５の外面から突出している。より詳細には、図９（Ａ）の状態における被検知部７７は、センサ筐体７１の背面側で且つ下方側に向かって回動軸７５の外面から突出している。すなわち、当接部７６と被検知部７７とは、回動軸７５の周方向の異なる向きに突出している。
【００７４】
光学センサ７３は、上下方向７における被検知部７７に対応する位置においてセンサ基板７４に支持され且つ電気的に接続されている。光学センサ７３は、左右方向９において対向する発光部７３Ａと受光部７３Ｂとで構成される。発光部７３Ａは、受光部７３Ｂに向けて光を出力する。受光部７３Ｂは、発光部７３Ａから出力される光の光路上に配置されており、光を受光する。
【００７５】
センサ基板７４は、センサ筐体７１の内部において、回動軸７５を挟んで切り欠き７１Ｃと反対側の位置に設けられている。すなわち、ユーザの手から静電気が届かないように、センサ基板７４は、上壁７１等から沿面距離をとった位置に配置される。 センサ基板７４は、左右方向９の長さが前後方向８の長さより長い長尺板状の部材である。センサ基板７４は、その上面の長手方向の一端側（本実施形態では、左端側）において光学センサ７３を支持し、他端側（本実施形態では、右端側）においてコネクタ７４Ａを支持している。コネクタ７４Ａには、センサ基板７４と制御基板とを電気的に接続するケーブル７９の一端が接続される。
【００７６】
センサ基板７４は、光学センサ７３の受光部７３Ｂで光が受光されたか否かによって異なる信号を、コネクタ７４Ａに接続されたケーブル７９を通じて制御基板に出力する。より詳細には、受光部７３Ｂで光が受光された場合に、センサ基板７４は、第１信号を制御基板に出力する。一方、受光部７３Ｂで光が受光されていない場合に、センサ基板７４は、第１信号と異なる第２信号を制御基板に出力する。なお、光学センサ７３とセンサ基板７４とは、本発明の信号出力部の一例を構成する。
【００７７】
ケーブル７９は、図１０に示されるように、仕切り部７１Ｅの下方において内側ガイド部材１９とセンサ筐体７１との間に形成された隙間から、内側ガイド部材１９の外部に延出されている。そして、主壁１１３の上面に設けられたリブの間を通って主壁１１４の上面に支持された制御基板まで延設されている。なお、図６及び図１０を対比すると、仕切り部７１Ｅは、上下方向７において搬送ローラ５２の下方に位置していることが分かる。すなわち、仕切り部７１Ｅは、上下方向７において、搬送ローラ５２とケーブル７９との間に位置する。
【００７８】
可動部材７２は、付勢部材７８によって図９（Ａ）及び図１１（Ａ）に示される第１位置に向けて付勢されている。その結果、第１位置に位置する可動部材７２の当接部７６は、第２搬送面に突出しており、給送部１６によって湾曲搬送路３３を搬送された記録用紙１２の先端と当接し得る。また、第１位置に位置する可動部材７２の被検知部７７は、発光部７３Ａから出力される光の光路から外れた位置に位置している。すなわち、可動部材７２が第１位置に位置している時、受光部７３Ｂは、発光部７３Ａから出力された光を受光する。その結果、センサ基板７４は、コネクタ７４Ａに接続されたケーブル７９を通じて制御基板に第１信号を出力する。
【００７９】
給送部１６によって湾曲搬送路３３を搬送された記録用紙１２は、当接部７６に当接することにより、付勢部材７８の付勢力に抗して可動部材７２を図１１（Ｂ）に示される第２位置に回動させる。すなわち、センサユニット７０を図１１（Ｂ）の向きから平面視した場合に、回動軸７５は反時計回りに回動する。また、当接部７６の先端は、記録用紙１２によって搬送向き１５の下流側に移動する。さらに、被検知部７７は、第１壁部１９Ａに近づき且つ切り欠き７１Ｃから遠ざかる向きに移動する。
【００８０】
これにより、図１１（Ｂ）に示されるように、当接部７６が第２搬送面より下側に位置するので、記録用紙１２は、湾曲搬送路３３を通過することができる。また、被検知部７７が発光部７３Ａ及び受光部７３Ｂの間の光路上に位置するので、受光部７３Ｂは、発光部７３Ａから出力されて光を受光しない。その結果、センサ基板７４は、コネクタ７４Ａに接続されたケーブル７９を通じて制御基板に第２信号を出力する。
【００８１】
さらに、記録用紙１２の後端が切り欠き７１Ｃ上（換言すれば、当接部７６上）を通過すると、可動部材７２は、付勢部材７８の付勢力によって図１１（Ａ）に示される第１位置に復帰する。その結果、センサ基板７４は、コネクタ７４Ａに接続されたケーブル７９を通じて制御基板に第１信号を出力する。すなわち、センサ基板７４は、被検知部７７の位置に応じた信号を出力する。
【００８２】
［本実施形態の作用効果］
本実施形態によれば、内側ガイド部材１９に取り付けられたセンサユニット７０の内部が上壁７１Ａによって覆われている。また、センサ筐体７１の内部において、切り欠き７１Ｃから遠い位置に光学センサ７３及びセンサ基板７４を配置している。さらに、回動軸７５の軸方向において、切り欠き７１Ｃと光学センサ７３とをずれた位置に配置している。その結果、塵埃、外光、及び静電気等がセンサ筐体７１の内部に侵入したことに起因する光学センサ７３及びセンサ基板７４の誤作動或いは破損を抑制できる。
【００８３】
また、本実施形態におけるセンサユニット７０は、カバー部材１７或いは外側ガイド部材１８を露出位置に移動させることにより、複合機１０の外部に露出される。そこで、センサユニット７０を搬送ローラ５２より搬送向き１５の上流側、すなわち搬送ローラ５２に対してカバー部材１７と反対側に配置することにより、複合機１０の外部から侵入する塵埃、外光、及び静電気等の影響を低減できる。同様に、第１壁部１９Ａでセンサユニット７０を覆うことにより、複合機１０の外部から侵入する塵埃、外光、及び静電気等の影響を低減できる。すなわち、カバー部材１７或いは外側ガイド部材１８を露出位置に移動させてジャム処理を行う場合に生じる静電気等の影響を軽減できる。
【００８４】
また、本実施形態では、第１位置から第２位置へ向かう被検知部７７は、内側ガイド部材１９の内部において第１壁部１９Ａに近づく向きに回動する。そこで、第１位置における被検知部７７を予め第１壁部１９Ａから遠ざかる向きへ向けて回動軸７５に突設しておくことにより、第２壁部１９Ｂの搬送向き１５の長さを延長しなくても、センサユニット７０を第１壁部１９Ａに近接した位置に配置できる。その結果、搬送向き１５において複合機１０をコンパクト化できる。また、第１位置から第２位置へ向かう被検知部７７を切り欠き７１Ｃから遠ざかる向きに回動させることにより、光学センサ７３を切り欠き７１Ｃから遠ざけることができる。
【００８５】
また、本実施形態では、上壁７１Ａの外面が湾曲搬送路３３を区画する第２搬送面を構成している。また、上壁７１Ａの外面には、搬送向き１５に延設されたリブ７１Ｂが設けられている。さらに、搬送向き１５の上流側における上壁７１Ａの角部は、第１壁部１９Ａの先端によって覆われている。その結果、記録用紙１２のスムーズな搬送を妨げることがない。
【００８６】
また、本実施形態によれば、搬送ローラ５２とケーブル７９との間に仕切り部７１Ｅを介在させることにより、ケーブル７９が搬送路３５の位置まで浮き上がって記録用紙１２の搬送を妨げるのを抑制できる。また、仕切り部７１Ｅを設けることにより、ケーブル７９を延出させる隙間を通じてセンサ筐体７１の内部に塵埃、外光、及び静電気等が侵入するのを抑制する効果も期待できる。
【００８７】
また、本実施形態によれば、開口１９Ｄを通じて内側ガイド部材１９の内部空間にセンサユニット７０を挿入することによって、係合凹部１９Ｅに被係合凸部７１Ｄが挿入される。その結果、センサユニット７０を内側ガイド部材１９に対して簡単且つ確実に位置決めできる。その結果、第１搬送面と第２搬送面とを、簡単な装着作業で確実に連続させることができるので、記録用紙１２のスムーズな搬送を妨げない。
【００８８】
なお、センサユニット７０を内側ガイド部材１９に対して前後方向８及び左右方向９に位置決めする構成は、上述の係合凹部１９Ｅと被係合凸部７１Ｄとの組み合わせに限定されない。例えば、内側ガイド部材１９の奥壁面に係合凸部を設け、センサ筐体７１の奥壁面に対面する面に被係合凹部を設けてもよい。すなわち、センサユニット７０及び内側ガイド部材１９の一方に凸部を設け、他方に凸部を受け入れる凹部を設ければよい。
【００８９】
また、本実施形態は、所謂センタレジ方式である。センタレジ方式において、記録用紙１２の幅方向の中央は、斜行による位置の変化が最も小さい。そのため、当接部７６を搬送面の幅方向（すなわち、左右方向９）の中央に配置することにより、センサユニット７０によって記録用紙１２の位置を正確に補足できる。そして、センサユニット７０によって記録用紙１２の正確な位置を補足できれば、精度の高い画像記録を実現できる。
【００９０】
さらに、上記の実施形態では、搬送装置の一例としてインクジェット記録方式のプリンタ部１１を備える複合機１０の例を説明したが、本発明はこれに限定されない。例えば、レーザー記録方式のプリンタに適用してもよいし、画像読取装置において原稿を搬送するフィーダに適用してもよい。
【符号の説明】
【００９１】
１０・・・複合機
１７・・・カバー部材
１８・・・外側ガイド部材
１９・・・内側ガイド部材
１９Ａ・・・第１壁部
１９Ｂ・・・第２壁部
１９Ｄ・・・開口
１９Ｅ・・・係合凹部
２０・・・給送トレイ
２４・・・記録部
２５・・・給送ローラ
５２・・・搬送ローラ
６２・・・排出ローラ
７０・・・センサユニット
７１・・・センサ筐体
７１Ａ・・・上壁
７１Ｂ・・・リブ
７１Ｃ・・・切り欠き
７１Ｄ・・・被係合凸部
７１Ｅ・・・仕切り部
７２・・・可動部材
７３・・・光学センサ
７３Ａ・・・発光部
７３Ｂ・・・受光部
７４・・・センサ基板
７５・・・回動軸
７６・・・当接部
７７・・・被検知部
７８・・・付勢部材
７９・・・ケーブル
９０，９１・・・ガイド部材
【図１】
2014156338.tif 000003
【図２】
2014156338.tif 000004
【図３】
2014156338.tif 000005
【図４】
2014156338.tif 000006
【図５】
2014156338.tif 000007
【図６】
2014156338.tif 000008
【図７】
2014156338.tif 000009
【図８】
2014156338.tif 000010
【図９】
2014156338.tif 000011
【図１０】
2014156338.tif 000012
【図１１】
2014156338.tif 000013